(57)【要約】      （修正有）【課題】計時器暦機構を提供する。【解決手段】計時器暦機構を駆動するように構成したムーブメントを備える時計であって、計時器暦機構は、各月の変更時に、相補駆動手段を駆動する駆動手段を含み、相補駆動手段は、月カム１を駆動するように構成し、月カム１の周縁部１０は、暦機構内に構成した月フィーラ・アーム４と協働し、この月カム１は、３６０°未満の角度区分を覆い、暦機構は、弾性戻り手段を含み、弾性戻り手段は、月フィーラ・アーム４と協働して、前年の最終日が終了すると１年の最初の月の位置に月カム１を逆移動で瞬時に戻すように構成する。【選択図】図８
2016126008.tif 000002
【特許請求の範囲】
【請求項１】
駆動手段（２）を備える計時器暦機構（１００）であって、前記駆動手段（２）は、各月の変更時に、相補駆動手段（３）を駆動するように構成し、前記相補駆動手段（３）は、枢動軸（Ｄ）周りに枢動する月カム（１）を駆動するように構成し、前記月カム（１）は、前記暦機構（１００）内に構成した月フィーラ・アーム（４）と協働する周縁部（１０）を備える、暦機構（１００）において、前記月フィーラ・アーム（４）は、常に、前記枢動軸（Ｄ）に対して同じ角度位置を占めること、及び前記月カム（１）は、前記枢動軸（Ｄ）に対して３６０°未満の角度区分を覆うこと、及び前記暦機構（１００）は、弾性戻り手段を含み、前記弾性戻り手段は、前記月フィーラ・アーム（４）と協働して、前年の最終日が終了すると１年の最初の月の位置に前記月カム（１）を逆移動で瞬時に戻すように構成し、前記月カム（１）は、縁部（１８）を備え、前記縁部（１８）は、１年の最終日に、前記弾性戻り手段の作用下、前記月カム（１）が逆移動を生じるように、前記暦機構（１００）内に構成した偏心停止部材（７８）と協働するように構成することを特徴とする、計時器暦機構（１００）。
【請求項２】
前記暦機構（１００）は、大車（７５）を含み、前記大車（７５）は、年車セットを形成し、４年で１回転を完了し、リング（７１）と一体化し、前記リング（７１）は、４つの等距離の年切欠き（７２）を備えること、及び１暦年の間、前記切欠き（７２）は、ばね（１３）内に構成され前記月カム（１）と一体に回転する突起（１２）を保持することを特徴とする、請求項１に記載の暦機構（１００）。
【請求項３】
前記偏心停止部材（７８）は、前記月カム（１）の前記縁部（１８）のための停止部として作用するように構成し、１２月の最終日に、前記ばね（１３）を切り離して、前記突起（１２）が去年留まった前記切欠き（７２）を離れ、前記戻り手段の作用下、前記月カム（１）を逆移動させ、新しい年の間、前記突起（１２）が次の前記切欠き（７２）内に留まるようにすることを特徴とする、請求項２に記載の暦機構（１００）。
【請求項４】
前記暦機構（１００）は、１２ヶ月スター・ホイール（４１）を含み、前記１２ヶ月スター・ホイール（４１）は、それぞれが傾斜部（４２）を含む切欠きを形成する、等しい領域を備え、各月の変更により、前記１２ヶ月スター・ホイール（４１）を１段前進させて第１のレバー（６１）を枢動させ、前記第１のレバー（６１）は、ヒンジ留めした枢動フィンガ（６３）を備え、前記フィンガ（６３）は、前記１段により、中間１２ヶ月スター・ホイール（６４）を押すように構成し、前記中間１２ヶ月スター・ホイール（６４）は、ジャンパによって保持し、１年につき１回転を完了し、前記大車（７５）を駆動するピニオン（６５）と同軸で、一体化していることを特徴とする、請求項２に記載の暦機構（１００）。
【請求項５】
前記暦機構（１００）は、４年カム（３３）及び第２のレバー（９１）を備え、前記４年カム（３３）は、４年で１回転を完了し、閏年のための４分の１回転にわたる第１の段階上の第１の軌道（３４）、及び通常の３年のための４分の３回転にわたる第２の段階上の第２の軌道（３５）を含み、前記第２のレバー（９１）は、前記４年カム（３３）の外形に触れる第１の端部（９２）、及び歯付き区分（９３）を備える第２の端部を含み、前記歯付き区分（９３）は、閏年カムを形成する閏年アーム（９５）歯部（９４）の枢動を駆動し、前記閏年アーム（９５）の遠位端は、前記月カム（１）の前記周縁部（１０）の一部分を覆い、前記周縁部（１０）の２月のための外形は、２８日の月用に構成し、前記閏年アーム（９５）と前記月カム（１）との組合せは、２重幅フィーラ・アーム（４）に仮想の２９日の月をもたらし、前記２重幅フィーラ・アーム（４）は、前記第２のレバー（９１）の前記第１の端部（９２）が前記第１の閏年カム（３４）を辿るときに、前記周縁部（１０）及び前記閏年アーム（９５）の前記遠位端の縁部（９６）の両方の上に載るように構成することを特徴とする、請求項１に記載の暦機構（１００）。
【請求項６】
前記暦機構（１００）は、現在の年を表示する表示手段（５）を含むこと、及び前記月カム（１）の逆戻り移動により、前記表示手段（５）を１単位増分させて翌年を表示することを特徴とする、請求項１に記載の暦機構（１００）。
【請求項７】
前記月カム（１）の前記角度区分は１２０°未満であることを特徴とする、請求項１に記載の暦機構（１００）。
【請求項８】
請求項１に記載の暦機構（１００）を駆動するように構成したムーブメント（２００）を備える時計（３００）。
【発明の詳細な説明】
【技術分野】
【０００１】
本発明は、駆動手段を含む計時器暦機構であって、駆動手段は、各月の変更時に、相補駆動手段を駆動するように構成し、相補駆動手段は、枢動軸周りを枢動する月カムを駆動するように構成し、前記月カムは、前記暦機構内に構成した月フィーラ・アームと協働する周縁部を有する、計時器暦機構に関する。
【０００２】
本発明は、そのような暦機構を駆動するように構成したムーブメントを備える時計も含む。
【０００３】
本発明は、時計暦機構の分野に関し、より詳細には、万年暦機構を含む時計暦機構の分野に関する。
【背景技術】
【０００４】
最も従来的な日付計時器は、Ｆｒａｎｃｏｉｓ  Ｌｅｃｏｕｌｔｒｅ著、Ｂｉｅｎｎｅ編、時計学版、「Ｌｅｓ  ｍｏｎｔｒｅｓ  ｃｏｍｐｌｉｑｕｅｅｓ（複雑時計の案内書（Ａ  Ｇｕｉｄｅ  ｔｏ  Ｃｏｍｐｌｉｃａｔｅｄ  Ｗａｔｃｈｅｓ））」という名称の出版物に具体的に記載されている。
【０００５】
暦機構において、月カムを保持するラチェット・ホイール又は月スター・ホイールは、各月の変更時に、日にちスネイル・カムと協働するレバーによって駆動され、日にちスネイル・カムの急傾斜の側を横切る際に日にちスネイル・カムを飛び越える。
【０００６】
月カムの完全な１回転の周期は、通常、１２又は４８ヶ月である。
【０００７】
この月カムは、その周縁部上に切欠き又は表面を含み、その径寸法は、異なる月の間隔に対応し、かなりの量の空間を占めるが、この空間は、計時器内の他の機構及び複雑機構の空間と常に適合するわけではない。
【０００８】
いわゆる万年暦デバイスの機能は、現在の月、より具体的には２月の日数を決定することである。万年機構とは、おおよその概念であり、最も市場で入手可能な機構は、４８個の切欠き付き月カム又は１２個の位置を有する月カムのいずれかを使用する単純な閏年機構であり、この機構において、２月の位置は、最も公知のデバイスを挙げると、マルタ・クロス又は同様の要素を有する閏年機構を含む。
【０００９】
万年暦デバイスの設計には、２つの困難：
−関係する暦の種類の特殊性をどのように考慮に入れ、この特殊性を計時器機構の形態にどのように変換するかということ、及び
−そのような機構が停止した場合にどのように更新するかということ
がある。更新は、建物の天文時計の場合のように、計時器を決して停止してはならないほど非常に複雑であることが多い。閏年を４年周期で管理するだけの、最も基本版の万年グレゴリオ暦の場合でさえ、あらゆる更新は、正確な年及び正確な月に到達させるために最大４７回の操作という多数の操作によって達成され、こうした操作は、機構の磨耗をもたらす。
【先行技術文献】
【特許文献】
【００１０】
【非特許文献１】「Ｌｅｓ  ｍｏｎｔｒｅｓ  ｃｏｍｐｌｉｑｕｅｅｓ（複雑時計の案内書（Ａ  Ｇｕｉｄｅ  ｔｏ  Ｃｏｍｐｌｉｃａｔｅｄ  Ｗａｔｃｈｅｓ））」Ｆｒａｎｃｏｉｓ  Ｌｅｃｏｕｌｔｒｅ著、Ｂｉｅｎｎｅ編、時計学版
【発明の概要】
【発明が解決しようとする課題】
【００１１】
本発明は、具体的には万年暦を含む時計暦機構の嵩を最少にすることを提案し、これにより、通常の閏年を可能にする一方で、時計の停止後にユーザに要求する更新動作の数を減らす。
【課題を解決するための手段】
【００１２】
この目的で、本発明は、駆動手段を備える計時器暦機構であって、駆動手段は、各月の変更時に、相補駆動手段を駆動するように構成し、相補駆動手段は、枢動軸周りに枢動する月カムを駆動するように構成し、前記月カムは、前記暦機構内に構成した月フィーラ・アームと協働する周縁部を有する、暦機構において、前記月フィーラ・アームは、常に、前記枢動軸に対して同じ角度位置を占めること、及び前記月カムは、前記枢動軸に対して３６０°未満の角度区分を覆うこと、及び前記暦機構は、弾性戻り手段を含み、弾性戻り手段は、前記月フィーラ・アームと協働して、前年の最終日が終了すると１年の最初の月の位置に前記月カムを逆移動で瞬時に戻すように構成し、前記月カムは、縁部を含み、縁部は、１年の最終日に、前記弾性戻り手段の作用下、前記月カムの逆移動を制御するように、前記暦機構内に構成した偏心停止部材と協働するように構成することを特徴とする、暦機構に関する。
【００１３】
本発明は、そのような暦機構を駆動するように構成したムーブメントを含む時計を更に含む。
【００１４】
本発明の他の特徴及び利点は、添付の図面を参照しながら以下の詳細な説明を読めば明らかになるであろう。
【図面の簡単な説明】
【００１５】
【図１】暦機構における通常の月フィーラ・アームを図示しない、本発明による暦機構の様々な角度からの概略部分拡大斜視図である。
【図２】暦機構における通常の月フィーラ・アームを図示しない、本発明による暦機構の様々な角度からの概略部分拡大斜視図である。
【図３】暦機構における通常の月フィーラ・アームを図示しない、本発明による暦機構の様々な角度からの概略部分拡大斜視図である。
【図４】暦機構における通常の月フィーラ・アームを図示しない、本発明による暦機構の様々な角度からの概略部分拡大斜視図である。
【図５】図１から図４と同じ機構の組立図であり、レバー端部は、閏年に対応する４年カム軌道に触れる位置にある一方で、レバーのフィーラ・フィンガは、１２ヶ月スター・ホイールの切欠き内の月変更傾斜部の底部の位置にある。
【図６】図１から図４と同じ機構の組立図であり、レバー端部は、閏年に対応する４年カム軌道に触れる位置にある一方で、レバーのフィーラ・フィンガは、１２ヶ月スター・ホイールの切欠き内の月変更傾斜部の底部の位置にある。
【図７】図１から図４と同じ機構の組立図であり、レバー端部は、閏年に対応する４年カム軌道に触れる位置にある一方で、レバーのフィーラ・フィンガは、１２ヶ月スター・ホイールの切欠き内の月変更傾斜部の底部の位置にある。
【図８】同じ機構の概略正面図であり、月フィーラ・アームの端部は、月カムの周縁部内に構成される２月の切欠きに面しており、月カムの近傍に、年末にこの月カムを逆に移動させるように構成した偏心停止部材を配置する。
【図９】月カムが逆に戻った後の、１月に対応する最初の初期位置における破線、及び逆ジャンプ直前の瞬間の、図８の偏心停止部材に直に近接する１２月末の実線における、月カムの概略正面図である。
【図１０】月表示手段を含む暦機構を駆動するように構成したムーブメントを含む時計を示すブロック図である。
【発明を実施するための形態】
【００１６】
本発明は、駆動手段２を備える計時器暦機構１００であって、駆動手段２は、各月の変更時に、相補駆動手段３を駆動するように構成し、相補駆動手段３は、枢動軸Ｄ周りに枢動する月カム１を駆動するように構成した、計時器暦機構１００に関する。
【００１７】
この月カム１は、暦機構１００内に構成した月フィーラ・アーム４と協働する周縁部１０を含む。非限定的な特定の様式では、この周縁部は、月の長さに従って異なる径寸法の区分を含み、したがって、複数の切欠きを含む。
【００１８】
月フィーラ・アーム４は、常に、枢動軸Ｄに対して同じ角度位置を占め、月カム１は、枢動軸Ｄに対して３６０°未満の角度区分を覆う。
【００１９】
特定の実施形態では、この角度区分は、１２０°未満である。
【００２０】
図面に示すより特定の実施形態では、この角度区分は、９０°未満である。
【００２１】
暦機構１００は、弾性戻り手段を含み、弾性戻り手段は、月フィーラ４と協働して、前年の最終日が終了すると１年の最初の月の位置に月カム１を逆移動で瞬時に戻すように構成する。
【００２２】
月カム１は、縁部１８を含み、縁部１８は、１年の最終日に、弾性戻り手段の作用下、月カム１が逆移動を生じるように、暦機構１００内に構成した偏心停止部材７８と協働するように構成する。
【００２３】
本発明は、本発明に従ったそのような暦機構１００を駆動するように構成したムーブメント２００を含む計時器３００にも関する。
【００２４】
このムーブメント２００は、非限定実施例における計時器の機械部品が、単なる時間表示機能、及びクロノグラフ、時間帯等の関連機能又は他の機能、及び本発明の暦機構１００に限定できる場合、等しく、機械式ムーブメントであっても、電子式ムーブメントであってもよく、本発明の暦機構１００は、骨格的実施形態若しくは同様の実施形態内で強化できる。
【００２５】
したがって、暦機構１００の作動は、計時器ムーブメント２００によって制御し、計時器ムーブメント２００は、特に心棒２０を含む駆動手段２の回転を制御する。
【００２６】
図面に示す非限定的な特定の実施形態では、暦機構１００は、円筒組立体５０を含み、円筒組立体５０は、月表示のための月胴部４０及び４年周期にわたる通常の閏年表示のための閏年胴部３０を備え、これらは、軸Ｃに沿って同軸であり、それぞれ前記軸Ｃ周りに回転自由に組み付けられる。
【００２７】
より一般的には、暦機構１００は、本発明を実施するために、６ヶ月又は１２ヶ月で１回転を完了する少なくとも１つの車セット、及び４年で１回転を完了する別の車セットを含む。
【００２８】
心棒２０は、摺動歯車を案内する平坦部分、溝部又は同様のものを有する駆動面２１を有し、摺動歯車は、心棒２０の方向Ａに長手方向に移動できる。図面の非限定例では、心棒２０は、第１の摺動ウルフティース歯車２３及び第２の摺動ウルフティース歯車２４を連続して支持する。この第２の摺動ウルフティース歯車２４は、自由回転する第１の摺動車セットの組合せと協働するように構成し、第１の摺動車セットの組合せは、第２の摺動ウルフティース歯車２４を捕捉するようなウルフティース２５、及び第１のピニオン２６を備える。自由回転する第２の摺動車セットの組合せは、第２のピニオン２８及び別のウルフティース２７を備える。
【００２９】
第１の摺動車セット及び第２の摺動車セットは、自由回転するように心棒２０上に組み付け、第１の摺動ウルフティース歯車２３及び第２の摺動ウルフティース歯車２４のみが心棒２０の駆動面２１によって駆動される。レバー（図示せず）は、第１の摺動車セット及び第２の摺動車セットと、円筒組立体５０内に構成した車４５及び３６のそれぞれとを係合させても、させなくてもよい。第１の摺動ウルフティース歯車２３及び第２の摺動ウルフティース歯車２４は、接触位置で、第１のピニオン２６を備える第１の摺動車セットを回転駆動するように構成する。第１の摺動ウルフティース歯車２３及び第２の摺動ウルフティース歯車２４はそれぞれ、レバーを有する時間設定機構と同様に、溝でこれらの長手方向移動を制御するように配置する。
【００３０】
月胴部４０は、第１の端部フランジ４３を含み、第１の端部フランジ４３は、第１のピニオン２６が適切な位置にあるとき、第１のピニオン２６が駆動する車４５と一体的に回転する。駆動車４５は、６ヶ月で１回転を完了する。
【００３１】
月胴部４０は、第１の端部フランジ４３と一体的に回転する第２の端部フランジ４９も含む。例示する非限定変形形態では、第２の端部フランジ４９及び第１の端部フランジ４３は、実質的に平坦な枢動ブレード４８のセットを支持し、枢動ブレード４８は、ピン４８によってフランジ内で枢動される。２つの連続するブレード４７の一方は、１年の月名の上半分を支持し、もう一方は、下半分を支持して、開口内に月名を表示する。したがって、１２個のブレード４７は、１２の暦月のうち６個を表示でき、他の６ヶ月は、ブレードのもう一方の側で読むことができ、ブレードは、一年の途中で又は月の変更時に枢動する。これは、例えば、各ブレードが地板又は受け上の切替え案内部上を通過したときに、月胴部４０内側でブレードに直接作用するカムの作用、又は月胴部４０外側で、関連するブレード４７と一体に、ピン４４、４８と一体であるレバーを枢動するカムの作用による。
【００３２】
第２の端部フランジ４９は、ウルフティースを有する１２ヶ月スター・ホイール４１を支持し、図示の変形形態では、１２ヶ月スター・ホイール４１は、それぞれが月変更傾斜部４２を含む切欠きを形成する６個の等しい領域を備える。各月変更傾斜部は、６分の１回転にわたってスター・ホイール４１を１段前進させる。
【００３３】
この１２ヶ月スター・ホイール４１と協働する相補駆動手段３は、フィンガ６３を備える第１のレバー６１を含み、フィンガ６３は、中間１２ヶ月スター・ホイール６４を作動するように構成し、中間１２ヶ月スター・ホイール６４は、ピニオン６５を介して大車７５の駆動を制御する。
【００３４】
第１のレバー６１は、地板又は同様のものの上で枢動するように組み付け、フィーラ・フィンガ６２を保持し、フィーラ・フィンガ６２は、スター・ホイール４１と協働し、スター・ホイール４１の中に構成した切欠きを辿る。フィーラ・フィンガ６２が各月末に傾斜部４２に乗り上げると、この傾斜部は、第１のレバー６１を傾け、枢動させ、第１のレバー６１は、その反対端部で、ばね（図示せず）によって戻る、ヒンジ留めした枢動フィンガ６３を駆動する。次に、このフィンガ６３は、１段により、ジャンパ（図示せず）が保持する中間１２ヶ月スター・ホイール６４を押し、１年につき１回転を完了する。
【００３５】
中間１２ヶ月スター・ホイール６４は、ピニオン６５と同軸で、一体化しており、ピニオン６５は、４年切欠き７２を含むリング７１と一体化する大車７５を駆動する。この大車７５は、４年で１回転を完了する、年車セットを形成する。
【００３６】
月カム１は、本明細書ではレトログレード式１２ヶ月カムであり、大車７５内で枢動するハブ１１と一体化している。月カム１は、渦巻ばね又は同様の要素（図示せず）によって、月フィーラ・アーム４が１月に対応する周縁部１０の基本面と協働する角度位置に向かって戻ることを目的とする。月カム１は、直接又は図示のようにハブ１１によって、突起１２を含むばね１３とも協働し、これにより、各年で突起１２をリング７１の４つの切欠き７２のうち１つと協働させ、切欠きを毎年変更させる。
【００３７】
要するに、暦機構１００は、大車７５を含み、大車７５は、年車セットを形成し、４年で１回転を完了し、リング７１と一体化し、リング７１は、４つの等距離の年切欠き７２を備え、１暦年の間、切欠き７２は、ばね１３内に構成し月カム１と一体に回転する突起１２を保持する。
【００３８】
所与の年の間、月カム１は、フィーラ・アームのくちばし部６３が中間１２ヶ月スター・ホイール６４を駆動するたびに大車７５によって駆動される。
【００３９】
実際には、年末、即ち１２月の最終日に、反時計回りに回転する月カム１の縁部１８は、偏心停止部材７８に当接し、偏心停止部材７８は、月カム１を解放し、ばね１３を切り離すことにより突起１２が切欠き７２を離れる。その戻りばねの作用下、月カム１は、時計回りに戻り、次の切欠き７２内に留まり、こうして別の年が開始される。
【００４０】
要するに、暦機構１００は、月カム１の縁部１８のための停止部として作用するように構成した偏心停止部材７８を備え、１２月の最終日に、ばね１３を切り離して、突起１２が去年留まった切欠き７２を離れ、順番に、その戻り手段（図示せず）の作用下、月カム１を逆移動させ、新しい年の間、突起１２が次の切欠き７２内に留まるようにする。
【００４１】
本明細書では、表示胴部３２を備える閏年胴部３０を有する暦機構１００を図示し、表示胴部３２は、４年周期にわたる通常の年又は閏年（文字Ｂで表す）を表示するように構成する。この表示胴部３２は、摺動ピニオン用切離しレバー、及び他の１２ヶ月カム及び４年カムを駆動するレバー（図示せず）を作動させるために、第１の側で歯付き車３６及びカム３７と一体化しており、第２の側で４年カム３３と一体化している。
【００４２】
したがって、本発明の特定の変形形態では、閏年胴部３０は、４年カム３３を含み、４年カム３３は、４年で１回転を完了し、閏年のための４分の１回転にわたる第１の段階上の第１の軌道３４、及び通常の３年のための４分の３回転にわたる第２の段階上の第２の軌道３５を含む。第２のレバー９１は、４年カム３３の外形に触れる第１の端部９２、及び歯付き区分９３を備える第２の端部を含む。
【００４３】
この歯付き区分９３は、閏年カムを形成する閏年アーム９５を枢動し、閏年アーム９５は、月カム１の周縁部１０の切欠きの一部分を覆う遠位端を有する。有利には、この周縁部１０の２月の切欠きは、２８日の月用に作成する。閏年アーム９５と月カム１との組合せは、２重幅フィーラ・アーム４に仮想の２９日の月をもたらし、２重幅フィーラ・アーム４は、第２のレバー９１の第１の端部９２が第１の閏年軌道３４を辿るときに、周縁部１０及び閏年アーム９５の縁部９６の両方の上に載るように構成する。
【００４４】
要するに、暦機構１００は、４年カム３３を含み、４年カム３３は、４年で１回転を完了し、閏年のための４分の１回転にわたる第１の段階上の第１の軌道３４、及び通常の３年のための４分の３回転にわたる第２の段階上の第２の軌道３５を含む。暦機構１００は、第２のレバー９１も含み、第２のレバー９１は、４年カム３３の外形に触れる第１の端部９２、及び歯付き区分９３を備える第２の端部を含み、歯付き区分９３は、閏年カムを形成する閏年アーム９５の歯部９４の枢動を駆動する。閏年アーム９５の遠位端は、月カム１の周縁部１０の一部分を覆い、２月の外形は、２８日の月用に構成する。閏年アーム９５と月カム１との組合せは、２重幅フィーラ・アーム４に仮想の２９日の月をもたらし、２重幅フィーラ・アーム４は、第２のレバー９１の第１の端部９２が第１の閏年軌道３４を辿るときに、周縁部１０及び閏年アーム９５の遠位端の縁部９６の両方の上に載るように構成する。
【００４５】
本発明は、年の表示も可能にする。したがって、暦機構１００は、現在の年を表示するための表示手段５を含み、月カム１の逆戻り移動により、表示手段５を１単位増分させて翌年を表示する。この増分は、特に、１２月３１日から新年１月１日への変更時に、例えば、第１の摺動ウルフティース歯車２３をウルフティース２７を備える第２の摺動車セットに結合するレバーを駆動するカムによって実施できる。
【００４６】
本発明は、かなりの空間節約を可能にする。月カムの駆動モードは、非常に特殊であり、エネルギーを一切浪費しない。
【００４７】
更新の実施にユーザが行う動作の数は、１２ヶ月を覆う月カム１の使用のために、従来の暦機構の４７回の動作の代わりに最大１３回の動作まで減る。
【符号の説明】
【００４８】
１  月カム
２  駆動手段
３  相補駆動手段
４  月フィーラ・アーム
１０  周縁部
１２  突起
１３  ばね
１８  縁部
７８  偏心停止部材
７１  リング
７５  大車
７２  年切欠き
１００  計時器暦機構
【図１】
2016126008.tif 000003
【図２】
2016126008.tif 000004
【図３】
2016126008.tif 000005
【図４】
2016126008.tif 000006
【図５】
2016126008.tif 000007
【図６】
2016126008.tif 000008
【図７】
2016126008.tif 000009
【図８】
2016126008.tif 000010
【図９】
2016126008.tif 000011
【図１０】
2016126008.tif 000012